(57)【要約】      （修正有）【課題】波長可変範囲内の何れの波長の光も分光システムを透過しない状態（遮光状態）を生成することが可能な分光システムを提供する。【解決手段】波長可変範囲内における透過率の複数のピークのうち何れかのピークに対応する波長の光を選択的に透過させる分光部４６と、波長可変範囲のうち複数のピークの一部を含む第１範囲の波長の光を遮光し、波長可変範囲のうち他のピークを含む第２範囲の波長の光を透過させる帯域通過部４４とを具備する。【選択図】図２
2018205035.tif 000002
【特許請求の範囲】
【請求項１】
波長可変範囲内における透過率の複数のピークのうち何れかのピークに対応する波長の光を選択的に透過させる分光部と、
前記波長可変範囲のうち前記複数のピークの一部を含む第１範囲の波長の光を遮光し、前記波長可変範囲のうち他のピークを含む第２範囲の波長の光を透過させる帯域通過部と
を具備する分光システム。
【請求項２】
前記第１範囲は、前記波長可変範囲のうち短波長側または長波長側の端に位置する
請求項１の分光システム。
【請求項３】
前記分光部は、前記複数のピークのうち当該分光部に印加される電圧に応じたピークに対応する波長の光を透過させ、
前記第１範囲は、前記分光部に電圧が印加されていないときの前記ピークを含む
請求項１または請求項２の分光システム。
【請求項４】
請求項１から請求項３の何れかの分光システムと、
前記分光システムを透過した光の受光レベルに応じた検出信号を生成する受光部と
を具備する受光装置。
【請求項５】
測定部位に光を出射する発光部と、
前記測定部位内を通過した光を受光する請求項４の受光装置と、
前記受光装置が生成した検出信号に応じて生体情報を特定する特定部と
を具備する生体情報測定装置。
【請求項６】
波長可変範囲内における透過率の複数のピークのうち何れかのピークに対応する波長の光を選択的に透過させ、
前記波長可変範囲のうち前記複数のピークの一部を含む第１範囲の波長の光を遮光し、前記波長可変範囲のうち他のピークを含む第２範囲の波長の光を透過させる
分光方法。
【発明の詳細な説明】
【技術分野】
【０００１】
本発明は、光を分光する技術に関する。
【背景技術】
【０００２】
特許文献１には、所定波長域の光を選択的に検出する構成が開示されている。特許文献１に開示された構成では、可変ファブリ・ペロー型のフィルターおよびバンドパスフィルターを透過した光を検出素子が受光する。
【先行技術文献】
【特許文献】
【０００３】
【特許文献１】特開２０１２−１２７９１７号公報
【発明の概要】
【発明が解決しようとする課題】
【０００４】
特許文献１の構成では、具体的には、複数の次数の干渉光の何れかを可変ファブリ・ペロー型のフィルターが透過させ、可変ファブリ・ペロー型のフィルターを透過した干渉光をバンドパスフィルターが透過させる。検出素子は、バンドパスフィルターが透過した光を検出する。特許文献１の技術では、バンドバスフィルターの透過範囲は、可変ファブリ・ペロー型のフィルターが透過する干渉光の変調帯域と一致するため、ファブリ・ペロー型のフィルターとバンドパスフィルターとの双方を光が透過しない状態を生成することができない。以上の事情を考慮して、波長可変範囲内の何れの波長の光も分光システムを透過しない状態（遮光状態）を生成することを目的とする。
【課題を解決するための手段】
【０００５】
以上の課題を解決するために、本発明の好適な態様に係る分光システムは、波長可変範囲内における透過率の複数のピークのうち何れかのピークに対応する波長の光を選択的に透過させる分光部と、波長可変範囲のうち複数のピークの一部を含む第１範囲の波長の光を遮光し、波長可変範囲のうち他のピークを含む第２範囲の波長の光を透過させる帯域通過部とを具備する。以上の構成では、分光部の波長可変範囲のうち一部のピークを含む第１範囲の波長の光を遮光し、波長可変範囲のうち他のピークを含む第２範囲の波長の光を透過する。したがって、波長可変範囲内の何れの波長の光も分光システムを透過しない状態（遮光状態）を生成できる。
【０００６】
本発明の好適な態様において、第１範囲は、波長可変範囲のうち短波長側または長波長側の端に位置する。以上の構成では、波長可変範囲のうち短波長側または長波長側の端に第１範囲が位置する。したがって、波長可変範囲のうち短波長側または長波長側の端に第１範囲が位置しない構成と比較して、第２範囲の光を透過させるための構成が簡素化される。
【０００７】
本発明の好適な態様において、
分光部は、複数のピークのうち当該分光部に印加される電圧に応じたピークに対応する波長の光を透過させ、第１範囲は、分光部に電圧が印加されていないときのピークを含む。以上の構成では、第１範囲は、電圧が印加されていないときのピークを含む。したがって、遮光状態を生成するための消費電力を低減することが可能である。また、本発明は、以上に説明した各態様に係る分光システムにおいて光を分光する方法（分光方法）としても特定される。
【０００８】
本発明の好適な態様に係る受光装置は、前述の何れかの態様に係る分光システムと、分光システムを透過した光の受光レベルに応じた検出信号を生成する受光部とを具備する。以上の構成では、前述の各態様の分光システムを透過した光の受光レベルに応じた検出信号が生成される。前述の各形態の分光システムでは、遮光状態を生成することができる。したがって、本発明の好適な態様に係る受光装置では、分光システムを透過した光の受光レベルに応じた検出信号に加えて、遮光状態における受光部の状態を表わす検出信号が生成できる。
【０００９】
本発明の好適な態様に係る受光装置は、測定部位に光を出射する発光部と、測定部位内を通過した光を受光する前述の態様に係る受光装置と、受光装置が生成した検出信号に応じて生体情報を特定する特定部とを具備する。前述の態様の受光装置では、遮光状態における受光部の状態を表わす検出信号が生成できる。したがって、遮光状態における受光部の状態を表わす検出信号を生体情報の特定に利用すること可能である。
【図面の簡単な説明】
【００１０】
【図１】本発明の第１実施形態における生体情報測定装置の構成図である。
【図２】受光装置の構成図である。
【図３】分光部の透過率特性と帯域通過部の透過率特性との関係を示す説明図である。
【図４】本発明の第２実施形態における受光装置の構成図である。
【図５】変形例における分光部の透過率特性と帯域通過部の透過率特性との関係を示す説明図である。
【発明を実施するための形態】
【００１１】
＜第１実施形態＞
図１は、本発明の第１実施形態に係る生体情報測定装置１００の構成図である。第１実施形態の生体情報測定装置１００は、利用者の生体情報を非侵襲的に測定する生体計測器である。例えば、利用者の血糖値（血中グルコース濃度），ヘモグロビン濃度，血中酸素濃度，中性脂肪濃度等の各種の血液成分濃度が生体情報の好適例である。第１実施形態では、血糖値を生体情報として測定する。
【００１２】
図１に例示される通り、第１実施形態の生体情報測定装置１００は、光学検出装置１１と情報処理装置１３とを具備する。光学検出装置１１は、利用者の身体のうち測定対象となる部位（以下「測定部位」という）Ｍの状態に応じた検出信号Ｚを生成する光学センサーモジュールである。情報処理装置１３は、光学検出装置１１が生成した検出信号Ｚから利用者の生体情報を特定する。
【００１３】
図１に例示される通り、光学検出装置１１は、発光部１１２と受光装置１１４とを具備する。発光部１１２は、測定部位Ｍに光Ｌを照射する発光装置である。具体的には、発光部１１２は、近赤外光を含む光Ｌを出射する。第１実施形態の発光部１１２は、例えば８００ｎｍ〜１４００ｎｍの光Ｌを出射する。例えば、相異なる波長域の光を出射する複数のＬＥＤ（Light Emitting Diode）で発光部１１２が構成される。ただし、発光部１１２の構成は以上の例示に限定されない。
【００１４】
発光部１１２から測定部位Ｍに入射した光Ｌは、測定部位Ｍの内部で拡散および反射して受光装置１１４側に出射し、図１の受光装置１１４に到達する。図２は、受光装置１１４の構成図である。受光装置１１４は、測定部位Ｍ内を通過した光Ｌを受光する機器である。受光装置１１４は、筐体４２と帯域通過部４４と分光部４６と制御部４７と受光部４８とを具備する。筐体４２は、例えば遮光性の材料で形成された中空の構造体である。筐体４２の１つの面には開口が形成される。分光部４６と制御部４７と受光部４８とは、筐体４２の内部に収容され、帯域通過部４４は、筐体４２の開口を塞ぐように設置される。第１実施形態では、測定部位Ｍを通過した光Ｌが帯域通過部４４に入射して、光Ｌのうち帯域通過部４４を透過した光Ｌが分光部４６で分光される。帯域通過部４４と受光部４８との間に分光部４６が位置する。すなわち、分光部４６は、帯域通過部４４を挟んで測定部位Ｍとは反対側に位置する。
【００１５】
分光部４６は、特定の波長域（以下「波長可変範囲」という）ＷV内の光を選択的に透過させる。例えばファブリ・ペロー型干渉計（エタロン）が分光部４６として好適に利用される。図３は、分光部４６の透過率特性（波長と透過率との関係）である。具体的には、分光部４６は、波長可変範囲ＷV内における透過率の複数のピークのうち何れかのピーク（以下「透過ピーク」という）に対応する波長の光を選択的に透過させる。ここで、分光部４６の透過率特性には、複数の異なる干渉次数に対応する透過率のピークが存在する。波長可変範囲ＷVは、例えば、分光部４６の透過率特性において特定の干渉次数に対応するピークが存在する範囲である。第１実施形態では、干渉次数が１次である透過率の複数のピークが存在する範囲を波長可変範囲ＷVとして例示する。例えば９５０ｎｍ以上１２５０ｎｍ以下の波長域が波長可変範囲ＷVである。図３では、透過率の複数のピークの波長が、波長可変範囲ＷV内の１０００ｎｍ，１０５０ｎｍ，１１００ｎｍ，１１５０ｎｍおよび１２００ｎｍに存在する場合を想定する。図３の波長可変範囲ＷV外の範囲ＷSには、１次以外の干渉次数（例えば２次）に対応する透過率のピークが存在する。
【００１６】
図２に例示される通り、第１実施形態の分光部４６は、相互に対向する一対の反射板６１と、静電アクチュエーター６３とを含む。各反射板６１は、入射光の一部を透過して他の一部を反射する半透過反射性の板状部材である。静電アクチュエーター６３は、第１電極５１および第２電極５２を含む。一方の反射板６１に第１電極５１が設置され、他方の反射板６１に第２電極５２が設置される。第１電極５１と第２電極５２との間に制御部４７から印加される電圧（以下「制御電圧」という）の電圧値に応じて、反射板６１間の距離が変化する。波長可変範囲ＷV内における透過率の複数のピークのうち透過ピークは、反射板６１間の距離に応じて変化する。すなわち、波長可変範囲ＷV内の複数のピークの何れかが、制御電圧の電圧値に応じて透過ピークとして選択される。
【００１７】
制御部４７は、分光部４６に印加する制御電圧を制御する。具体的には、制御部４７は、波長可変範囲ＷVに対応する範囲（以下「電圧範囲」という）内で変化する制御電圧を分光部４６に供給する。波長可変範囲ＷV（９５０ｎｍ〜１２５０ｎｍ）に応じた電圧範囲は、例えば０Ｖ〜４０Ｖである。制御電圧が大きい場合、反射板６１間の距離が短くなり、波長可変範囲ＷV内の透過ピークの波長は小さくなる一方で、制御電圧が小さい場合、反射板６１間の距離が長くなり、波長可変範囲ＷV内の透過ピークの波長は大きくなる。例えば、制御電圧が４０Ｖの場合は、透過ピークの波長は１０００ｎｍになり、制御電圧が０Ｖの場合（つまり電極間に電圧が印加されないとき）は、透過ピークの波長は１２００ｎｍになる。第１実施形態では、４０Ｖ，３０Ｖ，２０Ｖ，１０Ｖ，０Ｖの各々の電圧値に制御電圧を時分割で変化させることで、波長可変範囲ＷV内の複数のピークの各々が時分割で透過ピークとして選択される。以上の説明から理解される通り、分光部４６は、波長可変範囲ＷV内における透過率の複数のピークのうち当該分光部４６に印加される制御電圧に応じた透過ピークに対応する波長の光を透過させる。
【００１８】
図２の帯域通過部４４は、所定の通過帯域（波長域）内の成分を選択的に透過させて、他の成分を遮光する光学フィルターである。例えば、屈折率が異なる複数の透過膜を積層した構造のバンドパスフィルターが帯域通過部４４として好適である。図３に例示される通り、波長可変範囲ＷVは第１範囲Ｗ1と第２範囲Ｗ2とを含む。図３の破線は、帯域通過部４４の透過率特性である。図３から理解される通り、帯域通過部４４は、波長可変範囲ＷVのうち第２範囲Ｗ2の波長の光を透過させる。波長可変範囲ＷVのうち第２範囲Ｗ2以外の第１範囲Ｗ1の波長の光と、波長可変範囲ＷV外の範囲ＷSの波長の光とは、帯域通過部４４により遮光される。第１範囲Ｗ1は、波長可変範囲ＷVのうち一部のピークを含み、第２範囲Ｗ2は、波長可変範囲ＷVのうち他のピークを含む。具体的には、第１範囲Ｗ1は、波長可変範囲ＷVのうち長波長側の端に位置し、制御電圧が印加されていないときのピーク（波長：１２００ｎｍ）を含む。一方で、第２範囲Ｗ2は、波長可変範囲ＷVのうち第１範囲Ｗ1以外の範囲（具体的には第１範囲Ｗ1からみて短波長側の範囲）であり、波長可変範囲ＷVのうち１２００ｎｍ以外の全てのピーク（波長：１０００ｎｍ，１０５０ｎｍ，１１００ｎｍおよび１１５０ｎｍ）を含む。具体的には、帯域通過部４４が透過させる第２範囲Ｗ2は、９５０ｎｍから１１７５ｎｍまでの範囲である。第２範囲Ｗ2は第１範囲Ｗ1よりも広い。
【００１９】
図２に例示される通り、第１実施形態では、測定部位Ｍを通過した光Ｌは帯域通過部４４に入射する。帯域通過部４４は、光Ｌのうち第２範囲Ｗ2の光を透過させる。帯域通過部４４を透過した第２範囲Ｗ2の光は、分光部４６に入射する。分光部４６は、入射した光を選択的に透過させる。分光部４６は、波長可変範囲ＷVの複数のピーク（波長：１０００ｎｍ，１０５０ｎｍ，１１００ｎｍ，１１５０ｎｍまたは１２００ｎｍ）の各々（すなわち透過ピーク）に対応する波長の光を時分割で透過できるように制御される。つまり、制御部４７は、帯域通過部４４の透過対象となる第２範囲Ｗ2内の各ピークに対応する波長の光に加えて、帯域通過部４４の遮光対象となる第１範囲Ｗ1内のピークに対応する波長の光についても、分光部４６で透過できるように制御電圧を印加する。分光部４６を透過した光は、受光部４８に到達する。以上の説明から理解される通り、帯域通過部４４と分光部４６とは、測定部位Ｍを通過した光Ｌを分光する分光システムとして機能する。
【００２０】
受光部４８は、分光システムを透過した光の受光レベルに応じた検出信号Ｚを生成する。検出信号Ｚは、波長可変範囲ＷVの各ピークの波長における光の強度を時分割で表す信号である。例えば近赤外光に受光感度を示すＩｎＧａＡｓ（インジウムガリウム砒素）で光電変換層が形成された受光素子が受光部４８として好適に利用される。第１実施形態の光学検出装置１１は、発光部１１２と受光装置１１４とが測定部位Ｍからみて一方側に位置する反射型の光学センサーモジュールである。
【００２１】
図１の情報処理装置１３は、光学検出装置１１の受光装置１１４が生成した検出信号Ｚから生体情報を特定して、当該生体情報を利用者に提供するための機器である。第１実施形態の情報処理装置１３は、特定部１３２と表示部１３４とを具備する。特定部１３２は、受光装置１１４が生成した検出信号Ｚに応じて生体情報（血糖値）を特定する。
【００２２】
ここで、受光部４８に発生する暗電流や、筐体４２の内部に進入した太陽光または照明光等の外光に起因したノイズが検出信号Ｚに重畳されるという問題がある。第１実施形態では、波長可変範囲ＷVのうち第１範囲Ｗ1の波長の光が帯域通過部４４により遮光されるため、分光部４６の透過ピークが第１範囲Ｗ1内にあるとき（つまり透過ピークの波長が１２００ｎｍのとき）は、波長可変範囲ＷV内の何れの波長の光も分光システムを透過しない遮光状態になる。すなわち、検出信号Ｚのうち第１範囲Ｗ1に相当する受光レベルは、暗電流や外光に起因したノイズを表す。そこで、特定部１３２は、波長可変範囲ＷV内の各ピークの波長に対応する強度を検出信号Ｚから特定し、第２範囲Ｗ2内の各ピークの波長に対応する強度を、第１範囲Ｗ1内のピークの波長に対応する強度を利用して補正する。例えば、第２範囲Ｗ2内の各ピークの波長に対応する強度から、第１範囲Ｗ1内のピークの波長に対応する強度を減算する。特定部１３２は、第２範囲Ｗ2内の各ピークの波長に対応する補正後の強度から吸光スペクトルを生成し、当該吸光スペクトルから血糖値を特定する。吸光スペクトルを利用した血糖値の特定には、例えば重回帰分析法等の公知の技術が任意に利用され得る。ＰＬＳ（Partial Least Squares）回帰分析法および独立成分分析法等が重回帰分析法として例示される。表示部１３４（例えば液晶表示パネル）は、特定部１３２が特定した血糖値を表示する。
【００２３】
以上の説明から理解される通り、第１実施形態の帯域通過部４４は、分光部４６の波長可変範囲ＷVのうち複数のピークの一部を含む第１範囲Ｗ1の波長の光を遮光し、波長可変範囲ＷVのうち他のピークを含む第２範囲Ｗ2の波長の光を透過する。したがって、波長可変範囲ＷV内の何れの波長の光も分光システムを透過しない状態（遮光状態）を生成できる。以上の構成によれば、遮光状態における受光部４８の状態を表わす検出信号Ｚを生体情報の特定に利用することが可能である。ひいては、高精度に生体情報を特定することができる。
【００２４】
＜第２実施形態＞
第１実施形態では、測定部位Ｍを通過した光Ｌが帯域通過部４４に入射して、光Ｌのうち帯域通過部４４を透過した光Ｌが分光部４６で分光される。それに対して、第２実施形態では、測定部位Ｍを通過した光Ｌが分光部４６に入射して、光Ｌのうち分光部４６を透過した光の一部が帯域通過部４４を透過する。
【００２５】
図４は、第２実施形態に係る受光装置１１４の構成図である。受光装置１１４は、第１実施形態と同様に、筐体４２と帯域通過部４４と分光部４６と制御部４７と受光部４８とを具備する。第２実施形態の筐体４２は、第１実施形態と同様に、中空の構造体である。筐体４２の１つの面には、光透過性の材料で形成された蓋部４９が設置される。筐体４２のその他の面は光遮光性の材料で形成される。図４に例示される通り、帯域通過部４４と分光部４６と制御部４７と受光部４８とは筐体４２の内部に収容される。測定部位Ｍ内を通過した光は、蓋部４９を介して分光部４６に入射する。第２実施形態は、分光部４６と帯域通過部４４との位置関係を第１実施形態とは逆転させた構成である。具体的には、分光部４６と受光部４８との間に帯域通過部４４が位置する。すなわち、帯域通過部４４は、分光部４６を挟んで測定部位Ｍとは反対側に位置する。
【００２６】
分光部４６および帯域通過部４４の光学的な特性は第１実施形態と同様である。具体的には、分光部４６は、測定部位Ｍ内を通過した光Ｌを、波長可変範囲ＷVの複数のピーク（波長：１０００ｎｍ，１０５０ｎｍ，１１００ｎｍ，１１５０ｎｍまたは１２００ｎｍ）の各々（すなわち透過ピーク）に対応する波長の光を時分割で透過させる。分光部４６を透過した光は、帯域通過部４４に入射する。帯域通過部４４は、分光部４６を透過した光のうち第２範囲Ｗ2の光を透過させる。波長可変範囲ＷVのうち第２範囲Ｗ2以外の第１範囲Ｗ1の波長の光と、波長可変範囲ＷV外の範囲ＷSの波長の光とは、帯域通過部４４により遮光される。帯域通過部４４を透過した第２範囲Ｗ2の波長の光は、受光部４８に到達する。受光部４８は、第１実施形態と同様に、分光システムを透過した光の受光レベルに応じた検出信号Ｚを生成する。
【００２７】
情報処理装置１３は、第１実施形態と同様に、光学検出装置１１が生成した検出信号Ｚから生体情報を特定して、当該生体情報を利用者に提供する。情報処理装置１３における特定部１３２は、第１実施形態と同様に、波長可変範囲ＷV内の各ピークの波長に対応する強度を検出信号Ｚから特定し、第２範囲Ｗ2内の各ピークの波長に対応する強度を、第１範囲Ｗ1内のピークの波長に対応する強度を利用して補正する。
【００２８】
以上の説明から理解される通り、第２実施形態では、分光部４６を透過した波長可変範囲ＷVの光のうち第１範囲Ｗ1の波長の光が帯域通過部４４により遮光される。したがって、分光部４６の透過ピークが第１範囲Ｗ1内にあるとき（つまり透過ピークの波長が１２００ｎｍのとき）は、波長可変範囲ＷV内の何れの波長の光も分光システムを透過しない遮光状態になる、という第１実施形態と同様の効果が実現される。
【００２９】
＜変形例＞
以上に例示した各形態は多様に変形され得る。具体的な変形の態様を以下に例示する。以下の例示から任意に選択された２以上の態様を適宜に併合することも可能である。
【００３０】
（１）前述の各形態では、波長可変範囲ＷVのうち長波長側の端に第１範囲Ｗ1が位置する構成を例示したが、第１範囲Ｗ1の位置は以上の例示に限定されない。例えば、図５に例示される通り、波長可変範囲ＷVのうち短波長側の端に第１範囲Ｗ1が位置する構成も好適に採用され得る。また、波長可変範囲ＷVの途中に第１範囲Ｗ1が位置する構成でもよい。ただし、波長可変範囲ＷVのうち短波長側または長波長側の端に第１範囲Ｗ1が位置する構成によれば、波長可変範囲ＷVの途中に第１範囲Ｗ1が位置する構成と比較して、第２範囲Ｗ2の光を透過させるための構成が簡素化される。また、波長可変範囲ＷVのうち短波長側または長波長側の端に第１範囲Ｗ1が位置する構成では、波長可変範囲ＷVからみて短波長側または長波長側の範囲ＷSに第１範囲Ｗ1が連結するので、第１範囲Ｗ1の波長の光を遮光するための要素と、範囲ＷSの波長の光を遮光するための要素とを別個に設ける必要がない。したがって、分光システムの構成が簡素化される。
【００３１】
（２）前述の各形態では、波長可変範囲ＷVのうち第２範囲Ｗ2以外の第１範囲Ｗ1の波長の光と、波長可変範囲ＷV外の範囲ＷSの波長の光とを帯域通過部４４により遮光する構成を例示したが、帯域通過部４４が遮光する光の波長の範囲は以上の例示に限定されない。例えば、波長可変範囲ＷV内の波長の光Ｌを発光部１１２が出射する場合（例えば９５０ｎｍ〜１２５０ｎｍの光Ｌを出射する場合）は、範囲ＷSの波長の光を帯域通過部４４により遮光する構成は必須ではない。以上の説明から理解される通り、波長可変範囲ＷVのうち一部のピークを含む第１範囲Ｗ1の波長の光を帯域通過部４４により遮光することが可能であれば、帯域通過部４４が第１範囲Ｗ1以外の波長の光を遮光するか否かは任意である。
【００３２】
（３）前述の各形態では、特定の干渉次数の光が存在する範囲を波長可変範囲ＷVとしたが、特定の干渉次数の光が存在する範囲の一部を波長可変範囲ＷVとしてもよい。
【００３３】
（４）前述の各形態では、第１範囲Ｗ1は、波長可変範囲ＷVの端（長波長側の端）に位置し、制御電圧が印加されていないときのピークを含んだが、波長可変範囲ＷV内の各ピークの波長と制御電圧との関係は以上の例示に限定されない。例えば、制御電圧が印加されていないときのピークを含む第１範囲Ｗ1が、波長可変範囲ＷVの端に位置することは必須ではない。また、制御電圧が印加されているときのピークを第１範囲Ｗ1が含む構成も採用され得る。ただし、制御電圧が印加されていないときのピークの波長を第１範囲Ｗ1が含む構成によれば、波長可変範囲ＷVの端（長波長側の端）に第１範囲Ｗ1が位置するか否かに関わらず、遮光状態を生成するための消費電力を低減することが可能である。
【００３４】
（５）前述の各形態では、波長可変範囲ＷVの複数のピークのうち、１つのピークを第１範囲Ｗ1が含み、その他の全てのピークを第２範囲Ｗ2が含む構成を例示したが、第１範囲Ｗ1と第２範囲Ｗ2とに含まれるピークの個数は以上の例示に限定されない。例えば、２つ以上のピークを第１範囲Ｗ1が含む構成、または、第１範囲Ｗ1に含まれるピーク以外の複数のピークの一部のピークを第２範囲Ｗ2が含む構成も採用され得る。
【００３５】
（６）前述の各形態では、波長可変範囲ＷVの複数のピーク（波長：１０００ｎｍ，１０５０ｎｍ，１１００ｎｍ，１１５０ｎｍまたは１２００ｎｍ）の各々（すなわち透過ピーク）に対応する波長の光を時分割で透過させたが、波長可変範囲ＷVの複数のピークの各々に対応する波長の光を時分割で透過させる順番は任意である。例えば、第２範囲Ｗ2に含まれる複数のピーク（波長：１０００ｎｍ，１０５０ｎｍ，１１００ｎｍおよび１１５０ｎｍ）の各々に対応する波長の光と、第１範囲Ｗ1に含まれるピーク（波長：１２００ｎｍ）に対応する波長の光とを交互に透過させてもよい。具体的には、波長１０００ｎｍ，１２００ｎｍ，１０５０ｎｍ，１２００ｎｍ，１１００ｎｍ，１２００ｎｍ，１１５０ｎｍ，１２００ｎｍといった順番でピークの波長に対応する光を透過させて、検出信号Ｚを生成する。特定部１３２は、波長可変範囲ＷV内の各ピークの波長に対応する強度を検出信号Ｚから特定し、第２範囲Ｗ2内の各ピークの波長に対応する強度を、第２範囲Ｗ2内の各ピークの波長の直後の第１範囲Ｗ1内のピークの波長に対応する強度を利用して補正する。以上の構成によれば、第２範囲Ｗ2に含まれる複数のピークの各々に対応する波長の光を全て透過させたあとに、第１範囲Ｗ1に含まれるピークに対応する波長の光を透過させる構成と比較して、第２範囲Ｗ2内の各ピークの波長に対応する強度をより高精度に補正することが可能である。
【００３６】
（７）前述の形態では、生体情報測定装置１００は生体情報を表示したが、生体情報測定装置１００において生体情報の表示は必須ではない。例えば、生体情報測定装置１００と通信可能な端末装置（例えばスマートフォン）に、特定部１３２が特定した生体情報を送信して、端末装置の表示部１３４で生体情報を表示することも可能である。つまり、生体情報測定装置１００において表示部１３４は、省略され得る。また、特定部１３２および表示部１３４の一方または双方を端末装置に設けた構成も採用され得る。例えば、端末装置で実行されるアプリケーションにより特定部１３２が実現される。以上の説明から理解される通り、生体情報測定装置１００は、相互に別体で構成された複数の装置でも実現され得る。
【００３７】
（８）本発明は、分光システムの分光方法としても特定され得る。具体的には、本発明の好適な態様の分光方法は、波長可変範囲内における透過率の複数のピークのうち何れかのピークに対応する波長の光を選択的に透過させ、波長可変範囲のうち複数のピークの一部を含む第１範囲の波長の光を遮光し、波長可変範囲のうち他のピークを含む第２範囲の波長の光を透過させる。
【符号の説明】
【００３８】
１００…生体情報測定装置、１１…光学検出装置、１１２…発光部、１１４…受光装置、１３…情報処理装置、１３２…特定部、１３４…表示部、４２…筐体、４４…帯域通過部、４６…分光部、４７…制御部、４８…受光部、４９…蓋部、５１…第１電極、５２…第２電極、６１…反射板、６３…静電アクチュエーター。
【図１】
2018205035.tif 000003
【図２】
2018205035.tif 000004
【図３】
2018205035.tif 000005
【図４】
2018205035.tif 000006
【図５】
2018205035.tif 000007